(57)【特許請求の範囲】
【請求項１】
製本用の糊を貯留する容器と前記容器内の糊を付着して回転する糊付けドラムと、冊子を前記糊付けドラムの軸方向と平行して挟持し、前記糊付けドラム上を往復通過するクランパとを備え、前記クランパの前記糊付けドラム上の通過により前記クランパに挟持した冊子の背面部に前記ドラムに付着した糊を塗布してなる冊子の背糊塗布装置において、前記糊付けドラムを回転駆動するモータと前記クランパを移動駆動するモータとをそれぞれ設けるとともに、前記糊付けドラムの周速度と前記クランパの通過速度との相対速度を設定することにより、冊子の背面側長手方向の側面に付着する糊量を調整してなることを特徴とする冊子の背糊塗布装置。
【請求項２】
冊子の背面部への糊塗布後に前記クランパを一時停止してなることを特徴とする請求項１に記載の冊子の背糊塗布装置。
【請求項３】
前記容器と隣接する位置に前記糊付けドラムと平行するスクレープローラを設けてなることを特徴とする請求項１又は請求項２記載の冊子の背糊塗布装置。
【請求項４】
冊子の背面部へ糊を塗布し前記スクレープローラ通過後に前記クランパを一時停止してなることを特徴とする請求項３に記載の冊子の背糊塗布装置。
【発明の詳細な説明】
【０００１】
【発明の属する技術分野】
本発明は、冊子の背糊塗布装置に関するものである。
【０００２】
【従来の技術】
丁合機などによりページ順に集めて作成した本身（冊子）の背面を糊により綴じる、いわゆる無線綴じは良く知られている。この場合の冊子の背面に糊を塗布する装置として、ホットメルト形の接着剤などの製本用の糊を加熱貯留する容器と、下部がこの容器内の糊に浸され、糊を付着して回転する糊付けドラムと冊子を挟持して糊付けドラム上を通過するクランパとを備え、冊子を挟持したクランパが糊付けドラム上を通過する際、回転する糊付けドラムの表面に付着した糊を冊子の背面に塗布するように構成した背糊塗布装置がある。
【０００３】
このような背糊塗布装置では、糊付けドラムを回転する動力とクランパを移動する動力を互いに供用するか、糊付けドラム用とクランパの移動用に各々一定速度で回転するモータを用い、クランパの移動すなわち冊子の移動速度と糊付けドラムの周速度の比が一定となるように設計されている。
【０００４】
【発明が解決しようとする課題】
しかし、このような背糊塗布装置では、冊子を構成する紙質や厚みによって冊子の背面の糊付け状態が図７に示すように、冊子１のほぼ背面１ａのみの糊付け２の状態となったり、図８に示すように、冊子１の背面１ａと背面１ａの近傍側面１ｂにまたがった糊付け２の状態になったり、冊子の背面の糊付け状態が異なる場合がある。
【０００５】
特に冊子の背面に表紙を張り付けて製本する場合には、冊子１の背面１ａのみの糊付けでは、図１０に示すように表紙３が根本まで開き製本強度が弱く、また冊子１の背面１ａの近傍側面１ｂの糊付け（以下、「横糊」という。）が多い場合には、図１１に示すように表紙３のふくらみが残り、表紙３を開くと糊２が見え体裁の悪い製本となるので、図９に示すように適切な横糊の付着状態にすることが必要であるが、そのための調整が困難であるという問題があった。
【０００６】
本発明は、このような問題を解消すべくなされたもので、必要に応じた適切な冊子の背面部の糊付け状態を簡単に得ることのできる冊子の背糊塗布装置を提供することを目的とする。
【０００７】
【課題を解決するための手段】
本発明は、製本用の糊を貯留する容器と前記容器内の糊を付着して回転する糊付けドラムと、冊子を前記糊付けドラムの軸方向と平行して挟持し、前記糊付けドラム上を往復通過するクランパとを備え、前記クランパの前記糊付けドラム上の通過により前記クランパに挟持した冊子の背面部に前記ドラムに付着した糊を塗布してなる冊子の背糊塗布装置において、前記糊付けドラムを回転駆動するモータと前記クランパを移動駆動するモータとをそれぞれ設けるとともに、前記糊付けドラムの周速度と前記クランパの通過速度との相対速度を設定することにより、冊子の背面側長手方向の側面に付着する糊量を調整してなることを主な特徴とする。
【００１０】
本発明では、容器内の糊を付着して回転する糊付けドラムを駆動するモータと冊子を挟持して移動するクランパを駆動するモータをそれぞれ別に設け、糊付けドラムの周速度とクランパすなわち冊子の移動速度との相対速度を設定できるので、たとえば横糊の付着が多い場合（冊子の移動速度よりも糊付けドラムの周速が速すぎる場合に発生する。）には、糊付けドラムの周速を一定としてクランパの移動速度を速く、逆に少ない場合にはクランパの移動速度を遅くすることにより、紙質や厚みに応じた適切な糊付け状態、特に横糊の適切な付着状態を得ることができる。
【００１１】
また、冊子の背面部に糊付けし、その糊付けをスクレープローラで調整した直後にクランパを一時停止すると、冊子の背面部の糊とスクレープローラとの間で発生した糊の糸引部が固められ、クランパの再移動によりその固められた糸引糊は除かれるので、糸引糊による製本品質の低下を抑制することができる。
【００１２】
【発明の実施の形態】
次に、本発明の実施の形態に係る冊子の背糊塗布装置について、図を参照して説明する。図１は実施の形態に係る背糊塗布装置を用いた製本装置の斜視図、図２は同使用状態を示す斜視図、図３および図４は動作説明図で、図３は往路の背糊塗布状態、図４は復路の背糊塗布状態を示す説明図、図５および図６はスクレープローラを設置した場合の動作説明図で、図５は側面図、図６は平面図である。
【００１３】
図１において、４はクランパ、５は製本背貼部、６は糊容器、７は糊付けドラム、８はドラムの回転駆動用のモータ、９はクランパ駆動モータ、１０はねじ軸、１１はガイド棒、１２は移動台である。クランパ４は一対のクランプ板４ａ、
板４ｂおよびクランプ板保持枠４ｃとを有し、クランプ板保持枠４ｃは、モータ９の回転により回転するねじ軸１０に螺合し、ガイド棒１１を挿通した移動台１２に連結されている。糊付けドラム７は糊容器６に設置され、糊容器６内に収納されたホットメルト形の接着剤などの製本用の糊（図示なし）に下部が浸され、上部は糊容器６から突出し、その回転軸７ａは歯車７ｂを介してモータ８に連結されている。
【００１４】
製本背貼部５は上下動可能の底板５ａおよび底板５ａ上に互いに接近離間する一対のニップ板５ｂを備え、一対のニップ板５ｂ上にたとえば表紙を配置し、糊付け後の冊子の背面に底板５ａを上動させて表紙を押し当てるとともに一対のニップ板５ｂで挟み付けて表紙を貼り付ける。
【００１５】
冊子の背面部に糊を塗布するとき、たとえば製本背貼部５の位置（原点位置）にクランパ４を位置させて一対のクランプ板４ａ、４ｂとの間に冊子を挿入して挟持し、モータ９を時計方向に回転駆動し、図２に示すように冊子１を挟持したクランパ４を糊付けドラム７上を通過させて停止する。モータ９を駆動するときモータ８を回転駆動し、糊付けドラム７を時計方向に回転させる。
【００１６】
クランパ４が糊付けドラム７上を通過するとき、クランパ４に挟持した冊子１の背面部に糊付けドラム７の表面に付着した糊が塗布される。このときの塗布動作を図３に示す。図３において、ＶＡ１は冊子１の移動速度、ＶＢ１は糊付けドラム７の周速度であり、この例では冊子１の移動速度ＶＡ１は糊付けドラム７の周速度ＶＢ１よりも遅く設定されている。この設定により冊子１の背面１ａと移動方向に対して後端に横糊２ａが塗布される。
【００１７】
この横糊２ａの塗布状態は糊付けドラム７の周速度ＶＢ１と冊子１の移動速度ＶＡ１との相対速度に依存し、たとえば糊付けドラム７の周速度ＶＢ１を一定に設定し、冊子１の移動速度ＶＡ１を糊付けドラム７の速度ＶＢ１以上に速く設定すると横糊２ａの塗布はほとんどなく、また、冊子１の移動速度ＶＡ１を糊付けドラム７の速度ＶＢ１よりもより遅く設定すると横糊２ａが多くなる。
【００１８】
クランパ４を停止した後、モータ９を反時計方向に回転駆動し、クランパ４をもとの原点位置に復帰させるが、この復路で糊付けドラム７上を通過するとき再度クランパ４に挟持した冊子１の背面部に糊付けドラム７の表面に付着した糊が塗布される。モータ９を反時計方向に回転駆動するときモータ８も反転駆動して糊付けドラム７を反時計方向に回転させる。
【００１９】
このときの塗布動作を図４に示す。図４において、ＶＡ２は冊子１の移動速度、ＶＢ２は糊付けドラム７の周速度であり、この例では往路の場合と同様に冊子１の移動速度ＶＡ２は糊付けドラム７の周速度ＶＢ２よりも遅く設定されている。この設定により冊子１の背面１ａと移動方向に対して後端に横糊２ｂが塗布される。この糊付けドラム７上の往復の通過により冊子１の背面１ａおよびその背面１ａの近傍の両側の側面１ｂにまたがった糊付が完了し、クランパ４を原点位置に復帰させ、必要に応じて表紙などを張り付けて製本を終了する。以上の動作を冊子ごとに繰り返す。
【００２０】
なお、図示していないが製本装置には各駆動部を制御する制御装置が設けられており、モータ８およびモータ９の駆動制御はこの制御装置に設定することにより行なう。この場合、モータ８およびモータ９の回転速度はそれぞれ単独に任意に設定できるように構成しているが、モータ８又はモータ９のいずれか一方の回転速度を一定にし、他方のモータの回転速度を任意に設定できるように構成してもよい。このモータの回転速度の設定により冊子１の背面部の横糊の糊塗布状態を変更することができる。
【００２１】
ところで、背糊塗布装置では冊子の背面部に塗布した糊の厚み等を整えるために図５および図６に示すように、糊付けドラム７の近傍位置に糊付けドラム７と平行してスクレープローラ１３を配置する場合がある。この場合、冊子１の背面部が糊付けドラム７上を通過し背面部に糊が塗布されて移動すると、冊子１の背面部に塗布された糊とスクレープローラ１３に付着している糊との間で糊の糸引き２ｃが発生する場合がある。この糊の糸引きをそのままにすると製本に悪影響、たとえば表紙を汚したり必要でないところで張り付いたり製本の品質を低下させる恐れがある。
【００２２】
この糊の糸引き２ｃを除くために、この実施の形態では背面に糊を塗布した冊子１がスクレープローラ１３を通過した直後一端クランパ４を停止し、つづいてクランパ４を移動させるようにしている。この停止により糊の糸引き部２ｃは硬化し、クランパ４の再移動によって硬化した糸引き部２ｃが効果的に低減することができる。なお、スクレープローラ１３を設けない場合には糊付けドラム７を通過した直後一端クランパ４を停止し、つづいてクランパ４を移動させるようにしてもよい。
【００２３】
以上の実施の形態では、クランパ４、製本背貼部５、糊容器６および糊付けドラム７の長手方向をクランパ４の移動方向に対してほぼ直角方向に並べて配置し、クランパの移動距離を短く、かつ装置の小型化を図っているが、これらの長手方向をクランパ４の移動方向と同一の方向に配列するようにしてもよい。
【００２４】
【発明の効果】
以上説明したように、本発明によれば糊付けドラムの周速度とクランパの移動速度との相対速度を設定する簡単な操作によって適切な冊子の背面部の糊付け状態を得ることができ、また、背面に糊を塗布した後、冊子の移動を一時停止するようにした場合には、糊の糸引きが低減されるので、クランパの移動距離を短くし小型の糊付け装置で品質の高い製本を得ることができる。
【図面の簡単な説明】
【図１】本発明の実施の形態に係る背糊塗布装置を用いた製本装置の斜視図である。
【図２】本発明の実施の形態に係る背糊塗布装置を用いた製本装置の使用状態を示す斜視図である。
【図３】本発明の実施の形態に係る背糊塗布装置の往路における動作説明図である。
【図４】本発明の実施の形態に係る背糊塗布装置の復路における動作説明図である。
【図５】本発明の実施の形態に係る背糊塗布装置にスクレープローラを設置した場合の動作説明用側面図である。
【図６】本発明の実施の形態に係る背糊塗布装置にスクレープローラを設置した場合の動作説明用平面図である。
【図７】背糊塗布状態の一例の説明図である。
【図８】背糊塗布状態の他の例の説明図である。
【図９】背糊塗布状態と表紙の貼り付けの関係を示す説明図である。
【図１０】背糊塗布状態と表紙の貼り付けの関係を示す説明図である。
【図１１】背糊塗布状態と表紙の貼り付けの関係を示す説明図である。
【符号の説明】
１  冊子
１ａ  冊子の背面
１ｂ  冊子の背面近傍の側面
２  糊
２ａ、２ｂ  横糊
３  表紙
４  クランパ
４ａ  固定クランプ板
４ｂ  可動クランプ板
４ｃ  クランプ板保持枠
５  製本背貼部
６  糊容器
７  糊付けドラム
８  ドラムの回転駆動用のモータ
９  クランパ駆動モータ
１０  ねじ軸
１１  ガイド棒
１２  移動台
１３  スクレープローラ
【図１】
0004357109.tif 000002
【図２】
0004357109.tif 000003
【図３】
0004357109.tif 000004
【図４】
0004357109.tif 000005
【図５】
0004357109.tif 000006
【図６】
0004357109.tif 000007
【図７】
0004357109.tif 000008
【図８】
0004357109.tif 000009
【図９】
0004357109.tif 000010
【図１０】
0004357109.tif 000011
【図１１】
0004357109.tif 000012